(57)【特許請求の範囲】
【請求項１】
ディジタルデータをディジタルカメラの外部に独立してエクスポートすること、又はディジタルデータを前記ディジタルカメラの外部から独立してインポートすること、を行うことができない内蔵プロセッサ、を有する前記ディジタルカメラにおいて使用されるように構成されたメモリカードであって、
前記メモリカードは、
前記ディジタルカメラによってディジタルデータの受信を制御するように構成されているとともに、前記ディジタルデータが前記ディジタルカメラによって取得された時に前記ディジタルカメラから前記ディジタルデータの送信を制御するように構成された中央プロセッサと、
前記中央プロセッサに動作可能に接続された無線トランシーバモジュールと、
前記中央プロセッサに動作可能に接続されているとともに、前記ディジタルカメラに送信された前記ディジタルデータを受信したり前記ディジタルデータをエクスポートするために前記ディジタルカメラによって撮影された前記ディジタルデータを格納するように構成された記憶モジュールと、
を具備し、
前記メモリカードの前記中央プロセッサは、前記メモリカードが物理的にかつ動作可能に前記ディジタルカメラに取り込まれていると動作可能であり、かつ、前記ディジタルカメラが前記ディジタルデータのエクスポート又は受信することを行いうる所定のモードである時に、ユーザによる選択のためのメニュー項目を示すとともにインデックス画像内において各々分かれた複数の画像を表すことによって、これから先の動作を決定するためのメニューを前記ディジタルカメラのスクリーン上に表示するためのインデックス画像ファイルを前記内蔵プロセッサに送り、
前記メニューの項目のうちの１つの項目が、前記ディジタルカメラの制御ボタンを用いて選択されると、前記無線トランシーバモジュールを通して無線ネットワークの位置に前記ディジタルデータをエクスポートするように制御させるよう前記ディジタルカメラの前記内蔵プロセッサを制御し、
前記メニューの項目のうちその他の１つの項目が、前記ディジタルカメラの制御ボタンを用いて選択されると、前記無線トランシーバモジュールを通して遠隔画像収集装置から前記ディジタルデータを受信するよう前記ディジタルカメラの前記内蔵プロセッサに制御し、
前記ディジタルカメラが前記所定のモードである時に、前記中央プロセッサは、前記ディジタルカメラの自動オフ又は自動シャットダウンのいずれかを無効にするようにされている
メモリカード。
【請求項２】
前記メモリカードは、前記メモリカードが接続可能な候補無線ネットワークを検出するように構成されている、請求項１に記載のメモリカード。
【請求項３】
前記メモリカードは、前記ディジタルカメラに物理的かつ動作可能に結合し、通常のメモリカードと同じやり方で、前記内蔵プロセッサは前記メモリカードを通常のメモリカードとみなすように前記内蔵プロセッサに動作可能に接続するように構成されている、請求項１に記載のメモリカード。
【請求項４】
選択された前記メニュー項目は、
前記内蔵プロセッサが前記ディジタルデータを処理することに使用されるかどうか、
前記中央プロセッサ及び前記無線トランシーバモジュールが前記メモリカードから前記ディジタルデータを無線でエクスポートするために使用されるかどうか、又は、
前記中央プロセッサ及び前記無線トランシーバモジュールが前記ディジタルデータを無線で受信するために使用されるかどうか、
を決定する、請求項１乃至３の何れか１項に記載のメモリカード。
【請求項５】
前記メモリカードは、
前記中央プロセッサ及び前記無線トランシーバモジュールが前記ディジタルデータを送信する送信先として、又は、前記中央プロセッサ及び前記無線トランシーバモジュールが前記ディジタルデータを受信する受信元としての少なくとも１つのアドレスを含む、請求項１乃至４の何れか１項に記載のメモリカード。
【請求項６】
前記ディジタルカメラは、ディジタルカメラ、ディジタルビデオカメラ、ディジタルボイスレコーダ、及びディジタルダイヤリ、を含むグループから選択される、請求項１乃至５の何れか１項に記載のメモリカード。
【請求項７】
ディジタルデータをディジタルカメラの外部に無線でエクスポートすること、又はディジタルデータを前記ディジタルカメラの外部から無線でインポートすること、を独立して行うことができない内蔵プロセッサ、を有するディジタルカメラによって、ディジタルデータをエクスポートすること、又はディジタルデータを受信するための方法であって、
前記方法は、
メモリカードを物理的に動作可能に前記ディジタルカメラに接続すること、
前記ディジタルカメラが前記ディジタルデータのエクスポート又は受信することを行いうる所定のモードを選択すること、
前記ディジタルカメラが前記所定のモードである時に、前記メモリカードの中央プロセッサから前記ディジタルカメラに、インデックス画像内において各々分かれた画像であってユーザによる選択のためのメニュー項目を示す複数の画像を表すことによって、これから先の動作を決定するためのメニューを提供するためのインデックス画像ファイルを送ること、
前記メモリカードの無線トランシーバモジュールを通して前記ディジタルデータを無線ネットワークの位置にエクスポートするよう前記ディジタルカメラの前記内蔵プロセッサを制御するために、前記ディジタルカメラの制御ボタンを用いて前記メニューの項目のうちの１つの項目を選択すること、
前記無線トランシーバモジュールを通して遠隔画像収集装置から前記ディジタルデータを受信するよう前記ディジタルカメラの前記内蔵プロセッサを制御するために、前記メニューの項目のうちその他の１つの項目を前記ディジタルカメラの制御ボタンを用いて選択すること、及び、
前記ディジタルカメラが前記所定のモードである時に、前記中央プロセッサが、前記ディジタルカメラの自動オフ又は自動シャットダウンのいずれかを無効にするようにされていること
を含む、方法。
【請求項８】
前記メモリカードは、通常のメモリカードと同様の方法で前記ディジタルカメラに動作可能に接続するとともに、前記内蔵プロセッサが前記メモリカードを通常のメモリカードとしてみなす、請求項７に記載の方法。
【請求項９】
前記ディジタルカメラが前記所定のモードである時に、前記ディジタルカメラの前記制御ボタンが、前記中央プロセッサを制御するために使用できる、請求項７に記載の方法。
【請求項１０】
前記ディジタルデータは、請求項１乃至６の何れか１項に記載されたメモリカードを有する別のディジタルカメラにエクスポートされるか、又は前記別のディジタルカメラからインポートされる、請求項７乃至９の何れか１項に記載の方法。
【請求項１１】
前記遠隔画像収集装置は無線送信能力を有する、請求項７乃至１０の何れか１項に記載の方法。
【発明の詳細な説明】
【技術分野】
【０００１】
本発明は、無線ディジタルコンテンツの管理のための方法及びメモリカードに関し、限定しないが、特に、ディジタルカメラの無線通信を可能にする無線媒体を使用する、このような方法及びメモリカードに関する。
【背景技術】
【０００２】
ディジタルカメラは、ディジタルコンテンツのダウンロード及びアップロードを可能にするために、ホストコンピュータに物理的及び電気的に接続しなければならない。ディジタルコンテンツは、例えば、画像、ビデオ画像、市販のソフト（ｍａｒｋｅｔｉｎｇ  ｍａｔｅｒｉａｌｓ）、音楽コンテンツ、等であり得る。アップロード及びダウンロードを管理及び制御するアプリケーションは、ホストコンピュータにある。これは、必ずしも便利とは限らない。
【０００３】
その理由は、ディジタルカメラが、ディジタルカメラによって取り込まれた（ｃａｐｔｕｒｅ）ディジタルデータを独立してエクスポートすることができないプロセッサを有しているからである。ホストコンピュータが、ディジタルカメラによって取り込まれたディジタルデータをインポートし、ホストコンピュータが、ホストコンピュータからディジタルカメラにディジタルデータをエクスポートするために、ディジタルカメラをホストコンピュータに接続しなければならない。全ての関連する機能について、ホストコンピュータがプロセスを制御している。その代わりに、メモリカードに記憶されているディジタルデータをホストコンピュータにアップロードするために、ディジタルカメラのメモリカード又は同様の不揮発性メモリを取り出して、ホストコンピュータに挿入してもよい。ホストコンピュータのメモリに記憶されると、ディジタルデータをウェブサイトにアップロードすることができる。例えば、個人的な写真を記憶することができる多くのウェブサイトがある。「フェイスブック（ＦａｃｅＢｏｏｋ）」及びユーチューブ（Ｙｏｕ−Ｔｕｂｅ）は、多くの例のうちのほんの２つである。これは、アップロードするためにホストコンピュータにアクセスしなければならない。これは、必ずしも便利とは限らないかもしれない。
【発明の概要】
【０００４】
第１の例示的な態様によると、ディジタルデータをディジタルカメラの外部に独立してエクスポートすること、又はディジタルデータをディジタルカメラの外部から独立してインポートすること、を行うことができない内蔵プロセッサ、を有するディジタルカメラにおいて使用されるように構成されたメモリカードが提供される。メモリカードは、無線トランシーバモジュールを具備しており、無線トランシーバモジュールは、中央プロセッサと、記憶モジュールと、のうちの少なくとも一方に動作可能に接続され、ディジタルカメラに送信されたディジタルデータを受信することと、記憶モジュールからディジタルデータをエクスポートすることと、を行うように構成されている。中央プロセッサは、ディジタルカメラによってディジタルデータを受信することと、ディジタルデータがディジタルカメラによって取り込まれた場合に、ディジタルカメラからディジタルデータを送信することと、のうちの少なくとも一方を制御するように構成されている。記憶モジュールは、中央プロセッサに動作可能に接続され、ディジタルカメラによって取り込まれたディジタルデータと、ディジタルカメラによって受信されたディジタルデータと、のうちの少なくとも一方を記憶するように構成されている。メモリカードが、ディジタルカメラに物理的に動作可能に結合されて、且つディジタルカメラが、予め定められたモードである場合に、ディジタルカメラの少なくとも１つの制御ボタンを使用して、中央プロセッサを制御することができる。メモリカードは、ディジタルカメラの内蔵プロセッサから中央プロセッサによって受信された命令に応答して、無線トランシーバモジュールを通して無線ネットワークの位置にディジタルデータをエクスポートすることと、ディジタルカメラの内蔵プロセッサから中央プロセッサによって受信された命令に応答して、無線トランシーバモジュールを通して遠隔画像収集装置からディジタルデータを受信することと、のうち少なくとも一方を行うように構成されている。
【０００５】
メモリカードは、メモリカードを接続することができる候補無線ネットワークを検出するように構成され得る。メモリカードは、ディジタルカメラに物理的に動作可能に結合し、通常のメモリカードと同じやり方で、内蔵プロセッサに動作可能に接続するように構成することができ、内蔵プロセッサはメモリカードを通常のメモリカードとして見なす。ディジタルカメラが予め定められたモードである場合に限って、ディジタルデータをエクスポートすることと、受信することとを行い得る。ディジタルカメラが予め定められたモードである場合に、中央プロセッサは、ディジタルカメラのスクリーンに第１のインデックス画像ファイルを表示するために、第１のインデックス画像ファイルを内蔵プロセッサに送信するように構成され得る。第１の画像インデックスファイルは、複数の第１のメニュー項目を含み得る。複数の第１のメニュー項目の各々は、画像を含み得る。選択された第１のメニュー項目は、内蔵プロセッサを使用して、ディジタルデータを処理するかどうか、プロセッサ及び無線トランシーバモジュールを使用して、メモリカードからディジタルデータを無線でエクスポートするかどうか、又は、プロセッサ及び無線トランシーバモジュールを使用して、ディジタルデータを無線で受信するかどうか、を決定し得る。ディジタルデータは、画像データ、オーディオデータ、画像及びオーディオデータ、ビデオデータ、並びにオーディオ及びビデオデータ、の中から選択され得る。メモリカードは、少なくとも１つのアドレスを含み、プロセッサ及び無線インターフェイスは、少なくとも１つのアドレスにディジタルデータを送信するか、又はプロセッサ及び無線インターフェイスは、少なくとも１つのアドレスからディジタルデータを受信し得る。ディジタルカメラは、ディジタルカメラ、ディジタルビデオカメラ、ディジタルボイスレコーダ、及びディジタルダイヤリ、の中から選択され得る。
【０００６】
別の例示的な態様によると、ディジタルデータをディジタルカメラの外部にエクスポートすること、又はディジタルデータをディジタルカメラの外部からインポートすること、を独立して行うことができない内蔵プロセッサ、を有するディジタルカメラにおいて、ディジタルカメラからディジタルデータをエクスポートすること、又はディジタルカメラによってディジタルデータを受信すること、のうちの少なくとも一方のための方法が提供される。方法は、ディジタルカメラの所定のモードを選択し、ディジタルカメラにインストールされて動作可能に接続されたメモリカードから、ディジタルカメラに、第１のインデックス画像ファイルを送信することを含む。メモリカードは、中央プロセッサと、記憶モジュールと、無線トランシーバモジュールとを有する。第１のインデックス画像ファイルは、複数の第１のメニュー項目を含む。第１のメニュー項目の各々は、画像を含む。ディジタルカメラの制御ボタンを使用して、第１のメニュー項目から１つのメニュー項目を選択する。選択された１つのメニュー項目は、内蔵プロセッサを使用して、ディジタルデータを処理するかどうか、中央プロセッサ及び無線トランシーバモジュールを使用して、メモリカードからディジタルデータを無線でエクスポートするかどうか、又は、プロセッサ及び無線トランシーバモジュールを使用して、ディジタルデータを無線で受信するかどうか、を決定する。
【０００７】
別の発明の態様によると、データをディジタルカメラの外部にエクスポートすること、又はディジタルデータをディジタルカメラの外部からインポートすること、を独立して行うことができない内蔵プロセッサ、を有するディジタルカメラにおいて、ディジタルカメラからデータをエクスポートするか、又はディジタルカメラによってディジタルデータを受信する方法が提供される。方法は、ディジタルカメラの所定のモードを選択して、中央プロセッサが、第１のインデックス画像ファイルを、メモリカードからディジタルカメラに送信することを含む。第１のインデックス画像ファイルは、複数の第１のメニュー項目を含む。ディジタルカメラの制御ボタンを使用して、複数の第１のメニュー項目から１つのメニュー項目を選択する。適切なメニュー項目が選択されると、中央プロセッサ及び無線トランシーバモジュールが、ディジタルデータをディジタルカメラから無線でエクスポートするか、又はディジタルデータをディジタルカメラに無線でインポートする。
【０００８】
更なる態様の場合に、ディジタルカメラを使用してディジタルデータを取り込んで、ディジタルカメラにインストールされて動作可能に接続されたメモリカードに、ディジタルデータを記憶することができる。メモリカードは、中央プロセッサと、記憶モジュールと、無線トランシーバモジュールとを有する。
【０００９】
他の態様の場合に、適切なメニュー項目が選択されると、中央プロセッサ及び無線トランシーバモジュールがディジタルデータをメモリカードから無線でエクスポートし得る。
【００１０】
他の更なる態様の場合に、メモリカードは、ディジタルカメラに物理的に動作可能に結合し得る。メモリカードは、通常のメモリカードと同じやり方で、内蔵プロセッサに動作可能に接続することができ、内蔵プロセッサは、メモリカードを通常のメモリカードとして見なす。ディジタルカメラが予め定められたモードである場合に限って、ディジタルカメラの制御ボタンを使用して、中央プロセッサを制御することができる。ディジタルカメラが予め定められたモードである場合に限って、ディジタルデータをエクスポートすることと、ディジタルデータを受信することとを行うことができる。第１のインデックス画像ファイルは、ディジタルカメラのスクリーンに表示され得る。ディジタルデータは、記憶モジュールに記憶されている少なくとも１つのインターネットアドレスにエクスポートされるか、又はそのインターネットアドレスからインポートされ得る。ディジタルデータは、上述に記載されたメモリカードを有する別のディジタルカメラにエクスポートされるか、又は別のディジタルカメラからインポートされ得る。ディジタルデータは、無線送信能力を有する遠隔カメラからインポートされ得る。遠隔カメラは、セキュリティカメラであり得る。制御ボタンを使用して、第１のメニュー項目のうちの１つのメニュー項目を選択すると、内蔵プロセッサは、命令を中央プロセッサに送信し得る。命令は、１つのメニュー項目の識別子を含み得る。ディジタルカメラが所定のモードであり、且つ１つのメニュー項目が、メモリカードからディジタルデータを無線でエクスポートするか又はインポートすることに関連する場合に、中央プロセッサは、命令を「選択」として扱い得る。ディジタルカメラが所定のモードであり、且つ１つのメニュー項目が、ディジタルデータを無線で受信することに関連している場合に、中央プロセッサは、命令を「選択」として扱い得る。命令は、「削除」であってもよい。
【００１１】
本発明が十分に理解され、容易に実用化され得るように、例示的な実施形態を、単なる非制限的な例示によって、添付の説明図を参照して次に記載する。
【図面の簡単な説明】
【００１２】
【図１】ホストデバイスに接続可能な無線媒体であって、ホストデバイスから取り込んだデータをサーバに無線で転送することを可能にする無線媒体の例示的なシステムの概略図。
【図２】図１の例示的なシステムを示すブロック図。
【図３】図１の無線媒体を示す図。
【図４】図１のホストデバイスのプロセッサを示す図。
【図５Ａ】図１乃至４の例示的な実施形態の動作についての前半のフローチャート。
【図５Ｂ】図１乃至４の例示的な実施形態の動作についての後半のフローチャート。
【図６】ホストデバイスに接続可能な無線媒体であって、ホストデバイスが外部ソースからデータを無線で受信することを可能にする無線媒体の例示的なシステムの概略図。
【発明を実施するための形態】
【００１３】
例示的な実施形態は、無線媒体を介して携帯型ディジタルカメラ１００のディジタルコンテンツを管理する方法及びディジタルカメラである。携帯型ディジタルカメラ１００は、ディジタルカメラ、ディジタルビデオカメラ、ディジタルボイスレコーダ、又はディジタルダイヤリであり得る。ディジタルカメラが図示されている。ディジタルカメラ１００はスロット１０２を有し、メモリカード２００はスロット１０２に普通のやり方で挿入される。
【００１４】
メモリカード２００は、図３に示されている。メモリカード２００は、中央プロセッサ２０２と、中央プロセッサ２０２に動作可能に接続された無線トランシーバモジュール２０４と、中央プロセッサ２０２に動作可能に接続された記憶モジュール２０６とを有する。中央プロセッサ２０２は、カードインターフェイス２０８と無線インターフェイス２１０とを有する。更に、無線トランシーバモジュール２０４はアンテナ２１２を有する。
【００１５】
ディジタルカメラ１００は、メモリカード２００がスロット１０２に挿入されたときにメモリカード２００とインターフェイスするカードインターフェイス１０６、を備えた内蔵プロセッサ１０４を有する。更に、内蔵プロセッサ１０４は、カメラ１００のディスプレイスクリーン１１０を制御するディスプレイインターフェイス１０８を有する。更に、内蔵プロセッサ１０４は、カメラ１００の動作を制御するために使用されるカメラ制御ボタン等１１４をイネーブルにする制御インターフェイス１１２を有する。内蔵プロセッサ１０４は、ディジタルデータをカメラ１００の外部に独立してエクスポートすることができない。独立してエクスポートするとは、プロセッサ１０４が、コンピュータのようなインテリジェントホストにカメラ１００を動作可能に接続し、インテリジェントホストが、カメラからコンピュータにデータをエクスポートすることを可能にする関連の操作ソフトウェア（ｒｅｌｅｖａｎｔ  ｏｐｅｒａｔｉｖｅ  ｓｏｆｔｗａｒｅ）を有していて、エクスポートがコンピュータの制御を受けなければならないことを意味する。カメラ１００の通常の動作は、内蔵プロセッサ１０４の制御を受ける。
【００１６】
内蔵プロセッサ１０４は、ディジタルデータをカメラ１００の外部から独立してインポートすることもできない。独立してインポートするとは、プロセッサ１０４が、コンピュータのようなインテリジェントホストにカメラ１００を動作可能に接続し、インテリジェントホストが、コンピュータからカメラにデータをエクスポートすることを可能にする（即ち、カメラによってコンピュータからデータをインポートすることを可能にする）関連の操作ソフトウェアを有していて、エクスポート／インポートがコンピュータの制御を受けなければならないことを意味する。
【００１７】
カードインターフェイス２０８により、メモリカード２００がカメラ１００のスロット１０２に結合されるたびに（５００）、カードインターフェイス１０６は、メモリカード２００を通常のメモリカードと見なすと、内蔵プロセッサ１０４からメモリカード２００に画像及び／又はオーディオデータを転送するために、普通のやり方で、メモリカード２００とインターフェイスする（５０１）。カメラ１００によって認識されるカテゴリの中に、カード２００がない場合に、カメラ１００は通常のやり方でエラーメッセージを表示して、プロセスは終了する（５０２）。
【００１８】
内蔵プロセッサ１０４とカード２００との最初の接続が終わって、カメラの制御が、例えば「ビュー（ｖｉｅｗ）」（又は、これと同等のもの、例えば、「再生」、「表示」、又は「データ転送」）のような所定のモードに設定されると（５０３）、内蔵プロセッサ１０４は、通常の動作に従って、ディスプレイ１１０に表示するために、カード２００から第１の画像ファイルをダウンロードする。次に、表示されるメニューを制御するために通常のやり方で使用することができる制御１１４のナビゲーション制御によって、中央プロセッサ２０２は、第１のメニューを含んでいるインデックス画像ファイルを、ディスプレイインターフェイス１０８に送信する（５０４）。第１のメニューは、カメラ１００のこれから先の動作を決定する一連の第１の項目を含んでいる。第１のメニュー項目の各々は、インデックス画像ファイル内の異なる画像である。第１のメニュー項目は、例えば、以下のものを含み得る。
【００１９】
１．データ転送
２．無線検出
３．画像ビュー
（５０３）において、カメラ１００が、所定のモード、即ち「ビュー」又はこれと同等のものに設定されていない場合は、内蔵プロセッサ１０４の動作のもとで、メモリカード２００と内蔵プロセッサ１０４は、通常の既知のやり方で動作する（５０５）。
【００２０】
カメラ１００が所定のモードに設定されている場合は、表示された項目のうちの１つを選択しなければならない（５０６）。メニューの中の各項目は、異なる画像であるので、メニューリストの中の１つの項目を選択することは、異なる画像を選択することである。従って、使用される制御１１４は、プロセッサ１０４が中央プロセッサ２０２に命令を送信できるようにするようなものでなければならない。ビューモードの場合に、このような命令は、通常２つある。即ち、「次」（次の画像の送信）と、「削除」（この画像の削除）とである。後に続く動作に進むために、「次」を要求すると、「削除」機能が使用され得る。しかしながら、カメラ１００が「ビュー」モードであって、且つ上述の第１のメニュー項目から、「データ転送」又は「無線検出」のうちの何れかが選択された場合は、中央プロセッサ２０２は、「削除」を「選択」として解釈する。「第１の画像を送信する」命令が、プロセッサ１０４によって送信されて、メモリカードの中央プロセッサ２０２によって受信されると（５０４）、このような命令が受信されるのは１回のみであるので、中央プロセッサ２０２は、カメラ１００が「ビュー」モードであると認識する。
【００２１】
第１のメニュー項目の各々は、異なる画像であるので、「削除」を使用することは、プロセッサ１０４から中央プロセッサ２０２に送信される命令であるというだけでなく、どの画像を削除すべきかを中央プロセッサ２０２に知らせる画像の識別子を含んだ命令である。
【００２２】
中央プロセッサ２０２は命令を受信すると、所定のモードが選択されていて、且つ選択された画像が画像インデックスファイルからの（１）又は（２）の何れかであることを確認した後で、中央プロセッサ２０２は、「削除」命令を「選択」命令として扱う。
【００２３】
次に、第１のメニュー項目１が選択されたか、又は第１のメニュー項目２が選択されたかに応じて、中央プロセッサ２０２は必要な対応をとる。
【００２４】
選択された第１のメニュー項目が無線転送であるかどうかを決定するために、問い合わせが行なわれる（５０９）。選択された第１のメニュー項目が、無線転送でない場合は、項目３であるはずである。制御１１４を使用して、通常のやり方で、項目３が選択されると（５０７）、中央プロセッサ２０２は、通常のやり方でその命令を処理して、記憶モジュール２０６から第１の画像ファイルを送信して（５０８）、カメラ１００とメモリカード２００は、通常のやり方で動作を続ける（５０５）。（５０９）において、選択された第１のメニュー項目が無線転送である場合は、選択された第１のメニュー項目は、項目１又は項目２であり得る。従って、項目１が選択されたか、又は項目２が選択されたかを決定するために、第２の問い合わせが行われる（５１０）。
【００２５】
５１０において、項目２が選択された場合に、中央プロセッサ２０２は、無線トランシーバモジュール２０４をアクティブにして（５１１）、カード２００を接続することができる候補無線ネットワークをサーチする（５１２）。これは通常のやり方で行われる。全ての候補無線ネットワークが検出されると（５１３）、それらはディスプレイ１１０に表示され（５１４）、制御１１４を使用して、希望の無線ネットワークを選択する（５１５）。希望の無線ネットワークが選択されると、第２のインデックス画像ファイルが、中央プロセッサ２０２からディスプレイ１１０にダウンロードされる（５１６）。第２のインデックス画像ファイルは、第２のメニューリストを含んでいる（５１７）。第２のインデックス画像ファイルは、第１のインデックス画像ファイルと同じであっても、又は異なっていてもよい。第２のメニューリストの各々も、異なる画像であり、自身の識別子を有する。第２のメニューリストは、第１のメニューリストと同じであっても、又は異なっていてもよい。第２のメニューリスは、例えば、以下の項目を含み得る。
【００２６】
１．データ転送
２．無線検出
３．画像ビュー
（５１０）において、第１のメニューリストから項目１が選択された場合に、中央プロセッサ２０２は、無線ネットワークが以前に選択されたかどうかを決定する（５２１）。無線ネットワークが以前に選択されていなかった場合は、項目２に戻って（５１０）、上述のように、候補無線ネットワークのサーチを開始する。無線ネットワークが以前に選択されていた場合は、中央プロセッサ２０２は、様々な画像ファイルの画像データを連続的に取得して（５２２）、無線トランシーバモジュール２０４を使用して、選択された所定のウェブサイトに画像データをアップロードする（５２３）。アップロードが完了すると、「完了」メッセージがディスプレイ１１０に表示され（５２４）、プロセスは終了する（５２５）。
【００２７】
（５１８）において、第２のメニューリストから項目１が選択され、所定のウェブサイトが分かっている場合に、ネットワークが選択されたならば、中央プロセッサ２０２は、画像データを所定のウェブサイトに無線でアップロードするために、記憶モジュール２０６から画像ファイルを全てダウンロードし、無線トランシーバモジュール２０４にそれらを転送し始める。２以上の所定のウェブサイトがある場合に、中央プロセッサ２０２は、所定のウェブサイトのリストをディスプレイ１１０に表示するために送信して、通常のやり方で１つが選択された後で、選択された所定のウェブサイトを、画像データの送信先として使用する。所定のウェブサイトのリストは、ＵＲＬによるものであっても、又は予め入力された略称によるものであってもよく、ウェブサイトにおける電子メールアカウントを含んでもよい。
【００２８】
コンピュータ（示されていない）にメモリカード２００を予め動作可能に接続することによって、所定のウェブサイトにエントリする。コンピュータが中央プロセッサ２０２から必要なインターフェイスをアップロードし、コンピュータを使用して、希望の１又は複数のウェブサイトのＵＲＬ、或いは電子メールアカウントを入力する。次に、これらのＵＲＬ又は電子メールアカウントを、メモリカード２００の記憶モジュール２０６に記憶する。
【００２９】
従って、カメラ１００を使用して画像を取り込んで、通常のやり方でメモリカード２００の記憶モジュール２０６に画像を記憶した場合に、カメラの制御１１４を、ビューのような所定のモードに設定すると、上述の手順が始まる。カメラ１００が所定のモードである場合に中央プロセッサ２０２と無線トランシーバモジュール２０４とが、画像データを、選択された所定のウェブサイトにインターネット３００によって送信するように動作すると、サーバ／ＰＣ又は他のコンピュータ４００の記憶装置４０２に、画像を記憶することができる。これは、都合の良いときに行われ得る。都合の良いときは、例えば、通常カメラ１００が使用されていない、夜間である。更に、カメラ１００が所定のモードである場合に、カメラ１００を使用して、画像データを、選択された所定のウェブサイトからインターネット３００によってダウンロードして、記憶モジュール２０６に画像を記憶してもよい。これは、画像が記憶モジュール２０６から既に削除されていた場合に、必要であり得る。
【００３０】
所望又は必要であれば、全ての画像データのアップロードが完了すると、中央プロセッサ２０２は、記憶モジュール２０６に記憶されている画像データを圧縮又はダウンサイズしてもよい。圧縮は、任意の既知の及び／又は適切な圧縮アプリケーションによって行われ得る。詳細  ダウンサイジングは、例えばサムネイルサイズに、画像をダウンサイズすることであり得る。圧縮及び／又は縮小は、画像データを記憶するのに必要な記憶モジュール２０６におけるメモリ量を低減するのに使用される。圧縮及び／又は縮小された任意の画像は、予め選択されたウェブサイトに通知され、再送信されない。更に、予め選択されたウェブサイトに送信された任意の画像は、送信されたとしてフラグを立てられて、その後は再送信されない。しかしながら、中央プロセッサ２０２は、ディスプレイ１１０にプロンプトを送信して、古い画像を再び送信すべきか、又は新しくて以前に送信されていない画像のみを送信すべきかを質問してもよい。上述のやり方で選択した後で、中央プロセッサ２０２によって適切な対応がとられる。
【００３１】
図６には、第２の例示的な実施形態が示されている。第２の例示的な実施形態では、無線トランシーバモジュール２０４を使用して、外部ソース６００からディジタルデータを無線で受信する。この例示的な実施形態において、外部ソースは、遠隔カメラ６００であり、例えば、画像又はビデオを取り込むために使用されるセキュリティカメラである。しかしながら、外部ソースは、例えば携帯型ディジタルカメラ１００と同様のカメラであってもよく、従って、カメラ間で画像又はビデオを共有することができる。遠隔カメラ６００は、画像、ビデオ、及び／又はオーディオを取り込む能力を有し得る。遠隔カメラ６００は、少なくとも１つの関連する適切な標準、例えば、ワイファイ（Ｗｉ−Ｆｉ）又はブルートゥース（登録商標）によって、無線通信をすることができる無線モジュールを有するべきである。遠隔カメラ６００は、ネットワーク３００を渡って無線モジュール２０４に、又は直接に無線モジュール２０４に、（オーディオを含んだ）ビデオデータ又は画像を送信する無線能力を有する。これは、ワイファイ、インターネット、ブルートゥース、等を必要に応じて使用してもよい。
【００３２】
図５Ａを参照すると、５０３において、ディジタルカメラ１００が所定のモードである場合に、メモリカード２００を使用して、ディジタルカメラ１００によって取り込まれたディジタルデータをアップロードするのか、又はメモリカード２００を使用して、遠隔カメラ６００からディジタルデータを受信するのかを決定するために、別のメニュー項目によって、更に問い合わせされ得る。それがアップロードである場合は、ディジタルカメラ１００は、上述のように動作する。それが受信である場合は、ディジタルカメラ１００を使用して、遠隔カメラ６００によって送信されたディジタルデータを受信して表示する。ディジタルカメラ１００によって遠隔カメラ６００から受信されたディジタルデータは、更に、記憶モジュール２０６に記憶され得る。
【００３３】
このようにして、遠隔カメラ６００によって取り込まれたディジタルデータを、ディジタルカメラ１００によって表示及び／又は記憶することができる。このようにして、遠隔カメラ６００がセキュリティカメラであって、侵入を検出した場合に、ディジタルカメラ１００がディジタルデータを無線で受信することができるならば、ディジタルカメラ１００でそれを見ることができる。従って、適切に対処することができる。セキュリティカメラ６００は、任意の適切な性質を有するものであっても、又は唯一の要件を備えて作られたものであってもよい。唯一の要件は、無線送信能力である。無線送信モジュールは、セキュリティカメラ６００と統合されていてもよく、又は異なるコンポーネントであって、セキュリティカメラ６００と異なるコンポーネントとが動作可能に接続されてもよい。
【００３４】
遠隔カメラ６００が、メモリカード２００を備えたディジタルカメラ１００と同様のカメラである場合には、電子メール、ウェブサイト、又は他の取り外し可能な記憶デバイスを必要とすることなく、カメラ間でファイルを共有することができる。しかしながら、これは、必要又は希望に応じて、インターネット又は任意の他のネットワークを通じて行われてもよい。
【００３５】
両者の例示的な実施形態の場合に、ドライバを設置することもなく、又はホストデバイス１００で実行されるソフトウェアを変更することもなく、メモリカード２００をホストデバイス１００に接続することができ、従って、「プラグアンドプレイ」であることが分かるであろう。
【００３６】
メモリカード２００は、メモリカード２００の記憶モジュール２０６にダウンロードされるコンテンツの著作権保護のためのディジタル著作権管理モジュール（ｄｉｇｉｔａｌ  ｒｉｇｈｔ  ｍａｎａｇｅｍｅｎｔ  ｍｏｄｕｌｅ）を含み得る。
【００３７】
更に、所定のモードである場合に、中央プロセッサ２０２は、カメラ１００の自動オフ又は自動シャットダウンをオーバーライドして、カメラ１００が所定のモードから抜け出るまで、カメラ１００が動作し続けることができるようにしてもよい。
【００３８】
上述では、例示的な実施形態を記載したが、本発明から逸脱することなく、設計、構成、及び／又は動作の詳細の多くのバリエーションを作成できることが、当業者に分かるであろう。
【符号の説明】
【００３９】
１００・・・携帯型ディジタルカメラ、１０２・・・スロット、２００・・・メモリカード、３００・・・インターネット、４００・・・コンピュータ、４０２・・・記憶装置、６００・・・外部ソース。
【図１】
0005934765.tif 000002
【図２】
0005934765.tif 000003
【図３】
0005934765.tif 000004
【図４】
0005934765.tif 000005
【図５Ａ】
0005934765.tif 000006
【図５Ｂ】
0005934765.tif 000007
【図６】
0005934765.tif 000008